(57)【特許請求の範囲】
【請求項１】
コンクリートパネルの外側に露出して設置されるヘッド部と、コンクリート内に埋め込まれて設置される本体部とからなるアンカーであって、
前記ヘッド部は、ハンドリングマシンにより吊り上げられる吊り上げ手段を有し、
前記本体部は、鋼板で形成され、長手方向同一幅に２分割されて第１フラットと第２フラットを形成し、
前記第１フラットと前記第２フラットのそれぞれが、長手方向に並ぶ少なくとも３つの折り目が形成されてジグザグ形状に折り曲げられ、
曲げられて形成された傾斜が、前記第１フラットと前記第２フラットとで互いに反対方向であることを特徴とするコンクリートパネルを吊り上げるためのアンカー。
【請求項２】
前記第１及び第２フラットは、それぞれの上側折り目の上部を、前記ヘッド部とし、
前記上側折り目の下部を、前記本体部とし、
それぞれの前記ヘッド部を重ね合わせて組み付けられ、
下側折り目において互いに接触することを特徴とする請求項１に記載のコンクリートパネルを吊り上げるためのアンカー。
【請求項３】
前記フラットは、前記アンカーの長手方向に対し１０〜８５°のジグザグ形状の傾斜を有することを特徴とする請求項１に記載のコンクリートパネルを吊り上げるためのアンカー。
【請求項４】
前記アンカーは、前記第１フラット及び／または第２フラットの下端部が、前記フラットの長手方向に２分割され、前記下側折り目を基点に末広がり状に形成された脚部と、
前記第１及び第２フラットの前記上側折り目の上部に設けられた係合凹部をさらに有することを特徴とする請求項１または２に記載のコンクリートパネルを吊り上げるためのアンカー。
【発明の詳細な説明】
【技術分野】
【０００１】
本発明は、コンクリートパネルを吊り上げるためのアンカーに係り、より詳しくは、ハンドリングマシンで建築部材を吊り上げられるためのヘッド部を備え、本体部にはアンカーが建築構造物に組み込まれるとき建築部材と建築構造物とを固着させる結合強化部を含み、建築構造物に組み込むために主としてコンクリート製プレハブブロックやパネルなどの建築部材を持ち上げたり、吊り上げたり、回転させたり、運んだり、横たえたりするハンドリングアンカーであって、アンカー本体部は、少なくとも３つの折り目を有する２つのフラットを含むコンクリートパネルを吊り上げるためのアンカーに関する。
【０００２】
一般にこの種のアンカーは、比較的費用のかかる方法により作られる。したがって処理するプレハブ構成部品の特徴に適したアンカー形状とするには不適切であるという欠点を有する。
本発明は、この問題点の解決を目的とするものであり、本発明によるアンカーは、アンカー本体部が、少なくとも３つの折り目を有する２つのフラットを含んでいる。
【０００３】
本発明は、コンクリートパネルの外側に露出して設置されるヘッド部と、コンクリート内に埋め込まれて設置される本体部とからなるアンカーであって、ヘッド部は、ハンドリングマシンにより吊り上げられる吊り上げ手段を有し、本体部は、鋼板で形成され、長手方向同一幅に２分割されて第１フラットと第２フラットを形成し、第１フラットと第２フラットのそれぞれが、長手方向に並ぶ少なくとも３つの折り目が形成されてジグザグ形状に折り曲げられ、曲げられて形成された傾斜が、第１フラットと第２フラットとで互いに反対方向であることを特徴とする。
【０００４】
第１及び第２フラットは、それぞれの上側折り目の上部を、ヘッド部とし、上側折り目の下部を、本体部とし、それぞれのヘッド部を重ね合わせて組み付けられ、下側折り目において互いに接触することが好ましい。
アンカーのフラットは、アンカーの長手方向に対し１０〜８５°のジグザグ形状の傾斜を有することが好ましい。
【０００５】
アンカーは、第１及び／または第２フラットの下端部が、フラットの長手方向に２分割され、下側折り目を基点に末広がり状に形成された脚部と、第１及び第２フラットの上側折り目の上部に設けられた係合凹部をさらに有することが好ましい。
【図面の簡単な説明】
【０００６】
本発明は、本発明のいくつかの実施形態を示す添付の図面を参照した以下の説明でより良く理解され、その他の目的、詳細および利点がより明らかになるだろう。
【図１】単一のフラットによって形成された、本発明によるアンカーの第１の実施形態の斜視図である。
【図２】単一のフラットで形成されたアンカーの第２の実施形態の斜視図である。
【図３】ＡおよびＢは、本体が２つのフラットで形成されている、本発明によるアンカーの別の実施形態の、展開状態および組み付け状態の斜視図である。
【図４】本発明による２つのフラットを備えたアンカーの別の実施形態の斜視図である。
【図５】異なるヘッドを備えた、図４の原理により作られた、本発明によるアンカーの斜視図である。
【図６】ＡおよびＢは、それぞれ展開状態および組み付け状態の、２つのフラットを備えたアンカーの別の実施形態の斜視図であり、Ｃは、ＡおよびＢによるアンカーのヘッドの代替実施形態の斜視図である。
【図７】Ａ、Ｂは、図６Ａ、Ｂによる代替実施形態の斜視図である。
【図８】Ａ、ＢおよびＣは、図６Ａ、ＢおよびＣによるアンカーの別の実施形態の斜視図である。
【図９】Ａ、ＢおよびＣは、図８Ａ、Ｂによるアンカーの別の実施形態の斜視図である。
【０００７】
本発明によるアンカーは、コンクリートのプレハブブロックまたはパネルなどの建築部材の処理、特に引き上げ、吊り上げ、回転、運搬および配置を可能にするために設計されている。
図１は、本発明によるアンカーの第１の実施形態を示しており、符号１は全体を示している。
図１によるアンカーは、高強度の薄鋼板で作られ、ヘッド部３、アンカーの本体４、および脚部５を備えている。アンカー１は、建築部材の材料の外側にあり、ハンドリングマシンに取り付けられるヘッド３を除いて、処理する建築部材６の材料であるコンクリート内に埋め込まれることを意図している。図１の場合、ヘッドは孔７を備えており、これによってアンカーはハンドリングマシンのフックによって吊り上げることができる。
【０００８】
脚部は、鳩の尾形状をしている。フラット１の下端部は、同じ巾の２つの脚部９を形成するために縦方向に分割され、折り目１０を中心にして末広がり状になっている。フラット１の本体４には、フラットの長手方向と垂直な３つの折り目１２が形成され、折り目を境にして３つの傾斜したファセット１４、１５、１６が繋がっている。各ファセットはアンカーの長手方向に対して１０°から８５°の角度を形成する。
フラットと組み合わせられたファセット１４、１５、１６によって、コンクリートには接着および剪断の両方の応力が加えられる。フラットのヘッドは、その前面に切れ目を備えている。これは、このタイプの他のヘッド上にも設けられているが、図示はない。
図１の建築部材は、厚さが薄いコンクリートパネルであり、フラットの幅がパネルの厚さ方向と一致するようにパネル内に位置決めされているため、アンカーの幅方向の変形が防止できる。
【０００９】
図２は、単体の鋼板で形成されたアンカーの別の実施形態を示している。この実施形態の特徴は、このフラットが脚部からヘッド３直下まで長手方向に２分割されていることである。ヘッド３直下までの２つのフラット構成部品は、等しい幅のストリップ１８、１９からなり、それぞれアンカーの長手方向と垂直な折れ目２０，２１によりジグザグ状に５回折り畳まれる。
２つのフラット構成部品１８，１９は、アンカーの垂直軸に対して１０から８５°の角度αによって反対方向に折り曲げられ、５つの連続ファセット２２，２３を形成する。
図１、２のアンカーは、複数個のファセットにより、長手方向に高い接合力を維持することができる。
【００１０】
図３ＡおよびＢは、同一幅で逆方向の傾斜を有する２つのフラット２４、２５を組み合わせて得られる第３の実施形態を示すものである。フラット２４，２５は、図１、２と同様に、ヘッド３直下から３つの連続ジグザグ面を有する。
第３の実施例では、フラット２５は、上側折り目２６のすぐ上に、ストリップを加工して形成されたクランプ爪２７を備えており、フラット２４の上側折り目２６のすぐ上に設けられた係合凹部２８と係合する。組み付け状態では、両方のフラットのヘッド部３が重なるため厚さば２倍になる。通常、フラット２４、２５のそれぞれの下側折り目２９は接触したままであるが、この接触部を例えばスポット溶接または接着結合によって結合し、両方のフラット２４、２５を組み付ける方法も考えられる。
図３Ａ、Ｂによる２つのフラットを備えたアンカーは、特に、軸方向の結合力向上に適している。
【００１１】
図４は、本発明の第４の実施例を示すものであり、フラット３０，３１をヘッド３２に設けられたフラット３０，３１用の係止具に係止する方式である。図４に示すフラット３０、３１を構成するファセットは異なる形態のものであるが、同一形態のものを逆にして組み合わせても良い。
図４の実施例では、フラット３０は、上から下に、アンカーの軸と平行な垂直部３３、傾斜部分３４、垂直部３３と平行な平行部分３５、および鳩の尾形状の脚部３６を備えている。フラット３１は、３つのファセットでジグザグアセンブリを形成するもので、ヘッド部３７の下に３つのファセット３８、３９、４０を備えている。ヘッド３２は、平板状で、その上部にはハンドリングマシンに取り付けるための孔４１を設けている。ヘッド３２の下部４２の両側部には、フラット３０，３１のそれぞれの上端部を係止する係止部４３を備えている。係止部４３は、ヘッド３２の下部４２の両端下部から垂直上方に延びる棒状となっている。
【００１２】
フラット３０，３１のそれぞれの垂直部３３、３７の直下の傾斜部３４，３８には、係止部４３が貫通する取り付け孔４４が設けられている。
アンカーを把持する手段は、ヘッドの形状により選択することができる。
図５は、図４に示すフックを通すための孔を有するヘッドの代わりに、円筒４５を装着したアンカーである。図４、５の２つのフラットを備えたアンカーは、軸方向の結合力が強く、持ち上げおよび回転力に特に適合している。
【００１３】
図６Ａ−Ｃは、２つのフラットおよび異なるヘッドを備えたアンカーの別の実施形態を示すものである。図４、５と同様、逆向のフラット４６、４７を備えており、その上側部分４８は直線状であり、その下側部分は２つの傾斜ファセット４９および外向きに離れるように延びる半円弧脚部５０を有する。
アンカーの直線状の上側部分４８は三角形の側部ウィング５１を備えており、平面部分４８に垂直に外向きに延びている。このウィング５１は、平板のフラットを折り曲げて形成することができる。
図６Ａ，Ｂに示す実施例では、ウィング５１は直角三角形に近い形状であるが、側部ウィング５１の三角形の形状は、フラットの上部幅を確保するために選択する。
【００１４】
フラット４６、４７の上端部には、矩形形状の孔５２を備えており、ヘッド５４の両側部に設けられた矩形状に突出した係止部５５に嵌合できるようになっている。
図６Ｂに示す通り、ヘッド５４と両方のフラット４６、４７の組み付けは、孔５２をヘッドの係止部５５と係合させることによって行なわれる。
図６Ｃは、異なるヘッドの例を示すもので鍛造によって一体型として作られた円筒状のものである。円筒形状の把持部分は、一体型以外でもねじ込みまたはあらゆる他の適切な方法によることが可能である。
図６Ａ−Ｃに示すアンカー構造は、そのウィング５１により、特に薄いコンクリートパネルの持ち上げに適している。
【００１５】
図７ＡおよびＢは、図６Ａ、Ｂと同様、２つの同一の形状のフラットからなるアンカーを示している。これらのフラットの両方を組み付けることにより、ウィングがアンカーの対向する横側部に位置決めされた構造につながる。
図７では、アンカーは別のヘッド部材を備えていない。ヘッドは、図２によるアンカーのタイプである。これは、必要に応じて特定の応用例に適した異なる形状を備えたアンカー構造が得られる可能性を示すものである。
【００１６】
図８ＡおよびＢは、図６ＡおよびＢに示す三角形のウィングアンカーを有する別の形態を示すものである。本実施例では、ウィング６１は、平板状のフラット５６，５７に鋼板を折り曲げ加工してウィング６１を形成した嵌入材５８を嵌め込んだものである。
嵌入材５８は、Ｕ字形の中心部６０、Ｕ字部端部を直角に折り曲げて得られた三角形のウィング６１を備えている。
ヘッド６２は、Ｕ字形の中心部６０の上部に設けた孔６４と係合する突起部６３を備えている。
もちろん、ウィング部も折り曲げ加工の他、あらゆる適切な方法で作ることができる。
【００１７】
図９Ａ−Ｃは、図８Ａ−Ｃのアンカーが、平板状のフラット５６，５７に鋼板を折り曲げ加工してウィング６１を形成した嵌入材５８を嵌め込んだものであるのに対して、図８Ａ−Ｃの嵌入材５８に相当する中心部６６に脚部６８を一体成形してヘッド７０に直接取り付けるようにしたものである。
本実施例のフラット６５は、中心部６６の上部に孔７５を有し、ヘッドの下部突起部７３に嵌合するようになっている。
ヘッド７０には、把持孔７１を備えている。
もちろん、中心部６０および６６の断面は異なっていてもよく、例えば円形であってもよい。
【００１８】
上記実施例に示すアンカー構造は、１例を示すものである。必要に応じて適切な形状を備えたヘッド部材上に取り付けられる同一または異なる形状のいくつかのフラットを使用することによって、本発明は、厚さが薄いコンクリートパネルの処理に適したものである。また、本発明によるアンカーを単純な形状を備えたフラットおよびヘッドから作ることができる場合、アンカーの原価は低くなるが、アンカーの性能は優れている。フラットの変形は、あらゆる適切な方法で、例えばプレス加工によって達成することができる。
【００１９】
行なってきた説明、および図面からこのことが分かるので、本発明によるアンカーは、最新技術のアンカーと比較して重要な利点を有する。これに関連して、パネルの技術的幾何特徴により調節することができる同一のまたは異なる形状、断面、長さ、幅および高さを備えた１つまたは２つのパネルによってアンカーを形成することが重要である。一体型形状の結合または並列フラットは、１０から８５°までの角度で折り畳むことによって得られる１つまたは複数のファセットを備えている。これらの単一または結合ファセットは同時に、接着表面を大きくし、ファセットの内側および外側面による圧縮の際に、およびアンカーに対する直角での剪断の際にコンクリートに応力を加える。アンカーは、結合フラットの場合にファセットの内側に圧縮質量を作り出す。アンカーは、特に補強鉄を加えることなく、引き上げ、持ち上げ、回転および斜め張力負荷中に動作することができる。アンカーのヘッドは、球面、平面、ねじ切りブッシュタイプであってもよく、持ち上げリングに接続させることもできる。アンカーのヘッドは、コンクリートを注入する前に、アンカーを位置決めするのに使用することもできる。
【符号の説明】
【００２０】
１  アンカー
３、３２，３７，５４，６２，７０  ヘッド
４  本体
５、９，３６，６８  脚部
６  建築部材
７、４１，４４，５２，６４，７５  孔
１０、１２，２０，２１，２６，２９  折れ目
１４，１５，１６，２２，２３  ファセット
１８，１９  ストリップ、フラット構成部材
２４，２５，３０，３１，３８，３９，４０，４６，４７，５６，５７，６５  フラット
２７  クランプ爪
２８  係合凹部
３３，３７  垂直部
３４，３８  傾斜部分
３５  平行部分
４２  下部
４３，５５  係止部
４５  円筒
４８  上側部分
４９  傾斜ファセット
５０  半円弧脚部
５１，６１  ウイング
５８  嵌入材
６０，６６  中心部
６３，７３  突起部
７１  把持孔
【図１】
0004998904.tif 000002
【図２】
0004998904.tif 000003
【図３】
0004998904.tif 000004
【図４】
0004998904.tif 000005
【図５】
0004998904.tif 000006
【図６】
0004998904.tif 000007
【図７】
0004998904.tif 000008
【図８】
0004998904.tif 000009
【図９】
0004998904.tif 000010